(57)【要約】      （修正有）【課題】狭隘な箇所での作業に適した大きさにすることができる新規な高所作業用バスケットを提供する。【解決手段】フォークリフトＦのフォークに支持される高所作業用バスケットであって、方形状に成形されてなる固定床板部７２と、固定バスケット７１と、方形状に成形されてなるとともに後端側は上記固定床板部の上方又は下方に位置してなる可動床板部１０２と、可動バスケット１０１と、を備え、上記可動バスケット１０１は、該可動バスケット１０１を構成する前方側横架部１１１が後方側横架部８２に接近し又は離間する方向に可動可能とされてなる。【選択図】図６
2006256810.tif 000002
【特許請求の範囲】
【請求項１】
フォークリフトのフォークに支持される高所作業用バスケットであって、
方形状に成形されてなる固定床板部と、この固定床板部の後方側の左右角部からそれぞれ起立してなる第１及び第２の柱部と、一端が上記第１の柱部に固定され他端は上記第２の柱部に固定されてなる後方側横架部と、基端は上記第１の柱部に固定されてなる一方の左横架部と、基端は上記第２の柱部に固定されてなる一方の右横架部と、を有する固定バスケットと、
方形状に成形されてなるとともに後端側は上記固定床板部の上方又は下方に位置してなる可動床板部と、この可動床板部の前方側の左右角部からそれぞれ起立してなる第３及び第４の柱部と、一端及び／又は他端が上記第３の柱部及び／又は上記第４の柱部に固定されてなり上記後方側横架部と対向してなる前方側横架部と、基端は上記第３の柱部に固定されてなる他方の左横架部と、基端は上記第４の柱部に固定されてなる他方の右横架部と、を有する可動バスケットと、を備え、
上記可動バスケットは、該可動バスケットを構成する前方側横架部が上記後方側横架部に接近し又は離間する方向に可動可能とされてなることを特徴とする高所作業用バスケット。
【請求項２】
前記一方の左横架部と一方の右横架部とは、それぞれ中空状又は上方，下方若しくは側方が開放されてなる断面コ字状に成形されてなり、前記他方の左横架部の先端側は上記一方の左横架部内に挿入され、前記他方の右横部の先端側は上記一方の右横架部内に挿入されてなるか、或いは、
上記他方の左横架部と他方の右横架部とは、それぞれ中空状又は上方，下方若しくは側方が開放されてなる断面コ字状に成形されてなり、上記一方の左横架部の先端側は上記他方の左横架部内に挿入され、上記一方の右横部の先端側は上記他方の右横架部内に挿入されてなり、
前記可動バスケットは、上記一方及び他方の左横架部と上記一方及び他方の右横架部にガイドされながら該可動バスケットを構成する前方側横架部が上記後方側横架部に接近し又は離間する方向に可動可能とされてなることを特徴とする請求項１記載の高所作業用バスケット。
【請求項３】
前記固定バスケットは、前記フォークリフトのフォークが挿通される挿通部が下方に形成された台座部に支持されてなり、
この台座部は、上記固定バスケットを構成する固定床板部の奥行き長さと、前記可動バスケットを構成する可動床板部の奥行き長さとの和と略同じ奥行き長さを有してなるとともに、周囲は起立部により囲まれてなることを特徴とする請求項１又は２記載の何れかの高所作業用バスケット。
【請求項４】
複数の回転子と、これらの回転子に支持されながら該回転子上を移動する移動板部、又はこれらの回転子が支持され該回転子が上面を転動する固定板部とが、前記固定床板部又は可動床板部の何れかに相対的に配置されてなることを特徴とする請求項１，２又は３記載の何れかの高所作業用バスケット。
【請求項５】
前記台座部には、上端側が前記第１の柱部内に挿通された第５の柱部と、上端側が前記第２の柱部内に挿通された第６の柱部とがそれぞれ固定されてなるとともに、
上端が前記第３の柱部内に挿通された第７の柱部と、上端側が前記第４の柱部に挿通された第８の柱部と、一端が上記第７の柱部に固定され他端は上記第８の柱部に固定された下側可動横架部とを有する可動支持部材と、を備え、
前記固定バスケットと可動バスケットとは、一体的に上記第５ないし第８の柱部の長さ方向に昇降可能とされてなるとともに、固定手段を介して少なくとも該固定バスケットと可動バスケットとを上昇させた位置にて固定可能とされてなることを特徴とする請求項３又は４記載の何れかの高所作業用バスケット。
【発明の詳細な説明】
【技術分野】
【０００１】
本発明は、例えば、工場内の高所に設置された配管の整備や、木々の剪定や電信柱の保守等のように、高所で行われる作業の際に作業者の足場として用いられる高所作業用バスケットに関するものである。
【背景技術】
【０００２】
従来から、高所での作業の際に作業者の足場として、ブームの先端にバスケットを備えた車両である高所作業車が多く用いられている。この高所作業車は高所での作業には非常に適したものであるものの、そのような高所作業以外には用途が少なく、また、高価である。このため近年では、高所作業車の替わりに、フォークリフトに取り付けられる高所作業用バスケットが提案され、実施されている（特許文献１ないし４参照）。この高所作業用バスケットは、床板部と、該床板部の四隅より起立した柱部と、これらの柱部の間に位置する横架材等により構成され、上方に開口を有する箱状とされた本体と、この本体の下面に取り付けられたフォークリフトのフォークが挿通される挿通部を備えている。そして、この高所作業用バスケットの挿通部にフォークリフトのフォークを取り付けることにより、フォークの上下動に伴い該高所作業用バスケットが上下動するものとなり、該高所作業用バスケットに乗り込んだ作業者は、高所での作業することができる。したがって、この高所作業用バスケットを用いた場合には、普段はフォークリフトのフォークを用いて本来の用途である荷役に用いることができると共に、高所での作業が必要な場合にのみ該フォークリフトに該高所作業用バスケットを取り付けることにより高所での作業を行うことができるものとなり、高所での作業をするためだけに高所作業車を整備する必要がなくなる。
【特許文献１】特許第２７９２５５７号公報
【特許文献２】特開平１１−２１０９２号公報
【特許文献３】特開平１１−２１０９３号公報
【特許文献４】特開平１１−２７７４６４号公報
【発明の開示】
【発明が解決しようとする課題】
【０００３】
ところで、上記フォークリフトに高所作業用バスケットを取り付けて行う作業は、屋外以外に工場でなされる場合が多い。特に、工場の天井付近に配管されているパイプやダクトの取付作業やメンテナンス作業を行う際には、上述した高所作業用バスケットを利用する場合が多い。しかしながら、上記従来の高所作業用バスケットでは、平行に配管されたパイプ同士やダクト同士或いはパイプとダクトとの間に形成されている幅よりも広い場合が多く、フォークリフトの操作により上昇させようとしても、上記パイプ又はダクトの配管位置よりも上方に移動させることができず、このため、作業者は上方に手を伸ばしながら過酷な作業しなければならなかったり、作業が不能である場合には、適当な脚立を設置しなければならなかったりする必要性があり、作業の安全性が確保されない。
【０００４】
そこで、本発明は、上述した従来の高所作業用バスケットが有する課題を解決するために提案されたものであって、通常の作業においては比較的広いスペースで使用することができるとともに、パイプやダクト等の障害物が上方に存在する場合であっても、脚立等を使用することなく安全且つ作業性を良好なものとすることができる新規な高所作業用バスケットを提供することを目的とするものである。
【課題を解決するための手段】
【０００５】
上述した目的を達成するため、本発明（請求項１記載の発明）は、フォークリフトのフォークに支持される高所作業用バスケットであって、方形状に成形されてなる固定床板部と、この固定床板部の後方側の左右角部からそれぞれ起立してなる第１及び第２の柱部と、一端が上記第１の柱部に固定され他端は上記第２の柱部に固定されてなる後方側横架部と、基端は上記第１の柱部に固定されてなる一方の左横架部と、基端は上記第２の柱部に固定されてなる一方の右横架部と、を有する固定バスケットと、方形状に成形されてなるとともに後端側は上記固定床板部の上方又は下方に位置してなる可動床板部と、この可動床板部の前方側の左右角部からそれぞれ起立してなる第３及び第４の柱部と、一端及び／又は他端が上記第３の柱部及び／又は上記第４の柱部に固定されてなり上記後方側横架部と対向してなる前方側横架部と、基端は上記第３の柱部に固定されてなる他方の左横架部と、基端は上記第４の柱部に固定されてなる他方の右横架部と、を有する可動バスケットと、を備え、上記可動バスケットは、該可動バスケットを構成する前方側横架部が上記後方側横架部に接近し又は離間する方向に可動可能とされてなることを特徴とするものである。
【０００６】
この第１の発明を構成する可動バスケットは、同じく本発明を構成する固定バスケットに対して可動可能とされてなるものであり、可動バスケットの移動の方向は、該固定バスケットを構成して後端に取り付けられた後方側横架部と、該可動バスケットを構成して前端に取り付けられた前方側横架部とが、互いに接近し又は離間する方向、すなわち、固定バスケットから見て可動バスケットは、前後方向に動くものとなっている。なお、固定バスケットに対して可動バスケットが接近する際には、該可動バスケットは該固定バスケット内に入れつつ動くものとされても良く、或いは、該可動バスケットが該固定バスケットを中に入れつつ動くものとしても良い。
【０００７】
また、第２の発明（請求項２記載の発明）は、上記第１の発明において、前記一方の左横架部と一方の右横架部とは、それぞれ中空状又は上方，下方若しくは側方が開放されてなる断面コ字状に成形されてなり、前記他方の左横架部の先端側は上記一方の左横架部内に挿入され、前記他方の右横部の先端側は上記一方の右横架部内に挿入されてなるか、或いは、上記他方の左横架部と他方の右横架部とは、それぞれ中空状又は上方，下方若しくは側方が開放されてなる断面コ字状に成形されてなり、上記一方の左横架部の先端側は上記他方の左横架部内に挿入され、上記一方の右横部の先端側は上記他方の右横架部内に挿入されてなるものであって、すなわち、固定バスケットと可動バスケットのそれぞれを構成する横架部については、何れが挿入する側とされても良く、何れが挿入される側とされても良い。
【０００８】
この第２の発明を構成する固定バスケットの一方の左横架部及び一方の右横架部と、可動バスケットの他方の左横架部及び他方の右横架部とは、管状とされた何れかのものが相手のものの中に挿入される構成とされており、固定バスケットに対して可動バスケットが可動した場合にも、上記一方及び他方の左横架部と上記一方及び他方の右横架部にガイドされながらこの挿入の状態を保つものとなっている。なお、これら固定バスケットの一方の左横架部及び一方の右横架部と、可動バスケットの他方の左横架部及び他方の右横架部の何れが挿入する側で何れが挿入される側であっても良い。
【０００９】
また、第３の発明（請求項３記載の発明）は、上記第１又は第２の発明において、前記固定バスケットは、前記フォークリフトのフォークが挿通される挿通部が下方に形成された台座部に支持されてなり、この台座部は、上記固定バスケットを構成する固定床板部の奥行き長さと、前記可動バスケットを構成する可動床板部の奥行き長さとの和と略同じ奥行き長さを有してなるとともに、周囲は起立部により囲まれてなることを特徴とするものである。
【００１０】
この第３の発明を構成する台座部は、奥行き長さが上記固定バスケットを構成する固定床板部の奥行き長さと上記可動バスケットを構成する可動床板部の奥行き長さとの和と略同じ奥行き長さと、これら固定バスケット及び可動バスケットの幅長さを有する方形状とされていることから、可動バスケットが固定バスケットと離間する方向に動いた場合にも、該可動バスケットはこの台座部上に位置するものとなっている。そして、上記板部の周囲から起立する板状の起立部を備えて、上方に開口を有する直方体状の構成とされていることから、上記固定バスケットはこの台座部に固定されており、可動バスケットはこの台座部内で固定バスケットに対して接近し又は離間する方向に可動可能とされている。
【００１１】
また、第４の発明（請求項４記載の発明）は、上記第１，第２又は第３の発明において、複数の回転子と、これらの回転子に支持されながら該回転子上を移動する移動板部、又はこれらの回転子が支持され該回転子が上面を転動する固定板部とが、前記固定床板部又は可動床板部の何れかに相対的に配置されてなることを特徴とするものである。
【００１２】
この第４の発明では、前記固定バスケットに対して可動バスケットが可動する手段として複数の回転子と、移動板部又は固定板部の何れかが用いられるものとされているが、これら回転子は、固定バスケット又は可動バスケットの何れとともに配置されていてもよい。すなわち、移動板部が可動バスケットに配置されている場合には、回転子が固定バスケットに配置されるものとしても良く、また、回転子が可動バスケットに配置されている場合には、固定板部が固定バスケットに配置される。
【００１３】
また、第５の発明（請求項５記載の発明）は、上記第３又は第４の発明において、前記台座部には、上端側が前記第１の柱部内に挿通された第５の柱部と、上端側が前記第２の柱部内に挿通された第６の柱部とがそれぞれ固定されてなるとともに、上端が前記第３の柱部内に挿通された第７の柱部と、上端側が前記第４の柱部に挿通された第８の柱部と、一端が上記第７の柱部に固定され他端は上記第８の柱部に固定された下側可動横架部とを有する可動支持部材と、を備え、前記固定バスケットと可動バスケットとは、一体的に上記第５ないし第８の柱部の長さ方向に昇降可能とされてなるとともに、固定手段を介して少なくとも該固定バスケットと可動バスケットとを上昇させた位置にて固定可能とされてなることを特徴とするものである。
【００１４】
この第５の発明においては、上記固定バスケットを構成する第１及び第２の柱体には、上記台座部を構成する第５及び第６の柱体が挿通されてなるものとされており、該固定バスケットは、これら第１，第２，第５及び第６の柱体に支持されつつ、台座部に対して昇降可能とされている。また、第７及び第８の柱体及び下側可動横架部を有する可動支持部材は、上記台座部上に位置すると共に、該台座部上を奥行き長さ方向に移動可能となされている。そして、上記可動バスケットを構成する第３及び第４の柱体には、上記可動支持部材を構成する第７及び第８の柱体が挿通されてなるものとされており、該可動バスケットは、これら第３，第４，第７及び第８の柱体に支持されつつ、台座部及び可動支持部材に対して昇降可能とされている。したがって、上記可動バスケットが前方側横架部が固定バスケットの後方側横架部に接近し又は離間する方向に可動する際に、上記可動支持部材は該可動バスケットと共に台座部上を該台座部の奥行き長さ方向に可動するものとなり、また、台座部及び可動する可動支持部材に対して、固定バスケット及び可動バスケットが一体的に上昇する。
【発明の効果】
【００１５】
上記第１の発明（請求項１記載の発明）によれば、可動バスケットは、該可動バスケットを構成する前方側横架部が固定バスケットを構成する後方側横架部に接近し又は離間する方向に可動可能とされてなることから、普段は可動バスケットを固定バスケットと離間する向きに動かしておくことにより、従来の高所作業用バスケットと同様な大きさのものとして従来のものと同様に作業者や工具を積込んで作業をすることができると共に、狭隘な場所で作業をする等の必要がある場合には、可動バスケットを固定バスケットに接近するように動かすことにより、この高所作業用バスケットをその狭隘な場所での作業に適した大きさにすることができる。
【００１６】
上記第２の発明（請求項２記載の発明）によれば、可動バスケットを動かす際に、固定バスケットを構成する一方の左横架部及び右横架部と、可動バスケットを構成する他方の左横架部及び右横架部とが互いに挿入されて、可動バスケットの動きをガイドする。したがって、本発明に係る高所作業用バスケット内で作業する作業者は、後方側及び前方側横架部と、一方の左横架部及び右横架部と、他方の左横架部及び右横架部とにより常に囲われた状態となることから、作業者がこの高所作業用バスケットから転落する危険性を極めて少ないものとすることができる。また、この可動バスケットを動かす場合には、これら一方の左横架部及び右横架部と他方の左横架部及び右横架部によりガイドされつつ動くことから、この動作がスムーズになされるものとなり、更に、この高所作業用バスケットに何らかの応力が掛かる場合には、これら一方の左横架部及び右横架部と他方の左横架部及び右横架部により分散されることにより強度を有する構造になることから、中で作業する作業者が安全を確保されるとともに、この高所作業用バスケットが破損する危険性が少ないものとなる。
【００１７】
上記第３の発明（請求項３記載の発明）によれば、台座部に前記固定バスケットが支持されてなり、該台座部が上記固定バスケットを構成する固定床板部の奥行き長さと、前記可動バスケットを構成する可動床板部の奥行き長さとの和と略同じ奥行き長さを有してなることから、上記固定バスケット及び可動バスケットが共に常に台座部により支持される。また、該台座部の周囲には起立部が形成されてなることから、該台座部から可動バスケットが転落することを防ぐことができる。また、上記台座部の下方にフォークリフトのフォークが挿通される挿通部が形成されていることから、フォークリフトのフォークを取り付けることにより、該フォークの昇降に応じて上記固定バスケットと可動バスケットはともに上昇するものとなる。
【００１８】
上記第４の発明（請求項４記載の発明）によれば、上記固定バスケット及び可動バスケットを構成する固定床板部及び可動床板部の何れかには、複数の回転子と、移動板部又は固定板部が相対的に配置されていることから、回転子の回転によるコロとしての作用により摩擦抵抗が提言され、より少ない労力でスムーズに該可動バスケットと固定バスケットとを互いに接近させる方向に又は逆方向に可動可能とされてなる。
【００１９】
上記第５の発明（請求項５記載の発明）によれば、上記固定バスケット及び可動バスケットが上記台座部及び可動支持部材に対して昇降可能とされ、かつ、固定手段により該固定バスケットと可動バスケットは上昇させた位置にて固定可能とされてなることから、従来の高所作業用バスケットでの作業の限界の高さより更に高い箇所で作業が可能となる。すなわち、前述した従来の高所作業用バスケットでは、フォークリフトのフォークに取り付けるための挿通部がバスケット本体に形成されており、該従来の高所作業用バスケットでは、該フォークの上昇限度よりも高いところでの作業をすることができなかったが、この第５の発明では、フォークの挿通部に対して固定バスケットと可動バスケットが一体的に上記第５ないし第８の柱部の長さ方向に昇降可能であることから、前記従来の高所作業バスケットに比べて、フォークの上昇限度よりも高いところでの作業が可能となる。また、この昇降する固定バスケットと可動バスケットは、上記第１の発明のように互いに接近するように動かすことができることから、これらを動かして狭隘な場所での作業に適した状態とした上で、従来の高所作業用バスケットの限界の高さよりも高い箇所で作業が可能となる。さらに、このように従来の高所作業用バスケットよりも高いところでの作業が可能でありながら、上昇させた固定及び移動バスケットを下降させることにより、従来の高所作業用バスケットと同様な容積にすることができることから、従来の高所作業用バスケット同様に収納や保管が可能となる。
【発明を実施するための最良の形態】
【００２０】
以下、本発明を実施するための最良の形態を、図面を参照しながら詳細に説明する。この実施の形態に係る高所作業用バスケット１は、台座部１１と、可動支持部材５１と、固定バスケット７１と、可動バスケット１０１とから構成されており、これらは、図６ないし図８に示すように組み立てられている。すなわち、台座部１１の上に可動支持部材５１，固定バスケット７１及び可動バスケット１０１が位置している。また、可動支持部材５１は、台座部１１上の前端端部に位置するとともに、図１０及び図１１に示すように後方へ移動可能とされている。また、固定バスケット７１は、台座部１１の後端端部に位置するとともに、図１２に示すように台座部１１に対して上昇及び下降可能とされている。また、可動バスケット１０１は、台座部１１の前端端部に位置するとともに、図１０及び図１１に示すように可動支持部材５１とともに後方へ移動可能とされており、また、図１２に示すように可動支持部材５１に対して固定バスケット７１とともに上昇及び下降可能とされている。以下、これら台座部１１，可動支持部材５１，固定バスケット７及び可動バスケット１０１それぞれの構成について詳細に説明する。
【００２１】
上記台座部１１は、金属製の板材や角管等を溶接してなるものであって、図１に示すように方形状とされており、大きさは、奥行きの長さは後述する固定バスケット７１を構成する固定床板部７２の奥行き長さと、後述する可動バスケット１０１を構成する可動床板部１０２の奥行き長さとの和と略同じものとされており、また、幅は上記固定バスケット７１及び可動バスケット１０１の幅と略同じものとなっている。この台座部１１の周囲である前端，左端，右端及び後端には、長方形状の板材が直立する枠状とされた起立部１２が形成されている。この起立部１２の内側下端であって、前端部から後端側中途部までの略半分にかけては、方形状の板材である台座底板部１３が配置されており、該台座底板部１３の中央よりやや前端側の箇所には、この高所作業用バスケット１での作業中に内部に入った汚水やオイル等をまとめて排出するための水抜き穴１４が形成されている。また、この台座底板部１３の左右両側端上には、上記台座部１１の前端から左右端それぞれの後端に位置する後述する左台座直立部材３３及び右台座直立部材３４にかけて長さを有する左下角管１５及び右下角管１６が配置されている。なお、これら左下角管１５及び右下角管１６の前端から前端側中途部では、後述する可動支持部材２１の左外角管５３及び右外角管５４が載置及び摺動する。また、これら左下角管１５及び右下角管１６上には、上記台座部１１の前端側中途部から後端に位置する後述する左台座直立部材３３及び右台座直立部材３４にかけて長さを有する左上角管１７及び右上角管１８が配置されている。なお、これら左上角管１７及び右上角管１８内には、後述する可動支持部材５１の左外角管５３及び右外角管５４が前後方向に挿入する。但し、この台座部１１の左下角管１５及び右下角管１６への可動支持部材５１の左外角管５３及び右外角管５４の挿入は、該可動支持部材５１と該台座部１との動きをガイドするためであって、この左外角管５３及び右外角管５４（及び該可動支持部材５１上に位置する可動バスケット１０１）による左下角管１５及び右下角管１６への荷重の負荷はかからないものとなっている。すなわち、これら可動支持部材５１及び可動バスケット１０１等の荷重は、後述する左内角管５５及び右内角管５６によって、後述する角管２２，２３内の回転子を介して台座部１１に掛かるものとなることから、台座部１１に対する可動支持部材５１の移動は非常に容易なものとなる。なお、この左上角管１７及び右上角管１８の前端部は、上述した台座底板部１３及び後述する中央下部材１９及び角管２１の後端よりも前方に位置している。また、上記台座底板部１３の後端には、中央下部材１９が配置されている。この中央下部材１９は、左右方向に長さを有して、左右各端部が上記左下角管の右側面及び右下角管１６の左側面に当接する長さを有する角管とされている。また、この中央下部材１９上には中央上部材２０が配置されている。この中央上部材１９は、左右方向に長さを有して上記中央下部材１９よりもやや短い角管２１と、該角管２１の左側中途部及び右側中途部において、前後方向に長さを有して該角管２１の後面と後述する台座部１１の後端に配置された後端上部材３２の前面に当接する２つの角管２２，２３とから構成されている。なお、これら中央上部材２０を構成する角管２１の前面であって、上記角管２２，２３に対応する箇所には、開口２４，２５が形成されており、また、該角管２２，２３の上面には、それぞれ溝部２６，２７が形成されている。さらに、上記角管２２，２３内には、図２に示すように、多数の回転子２８が配置されており、上記開口２４、２５内に前後方向に挿入された後述する可動支持部材５１の左内角管５５及び右内角管５６は、これら多数の回転子２８上に載置される。この多数の回転子２８は、上記角管２２，２３内において左右方向に長さを有する軸体２９と、該軸体２９に対して図示しないベアリングを介して回動可能に配置された円筒体３０と、から構成されており、該角管２２，２３の長さ方向に多数配置されている。したがって、後述する可動支持部材５１が台座部１１に対して前後方向に移動する際には、該左内角管５５及び右内角管５６は、下面を該多数の回転子２８に載置されるものとなり、該可動支持部材５１は該多数の回転子２８の回動によりスムーズに前後方向に移動するものとなる。
【００２２】
また、上記台座部１１の後端であって、上記起立部１２の後端に配置されたものの前面には、後端下部材３１及び後端上部材３２が配置されている。これら後端下部材３１及び後端上部材３２は、左右各端部がそれぞれ後述する左台座直立部材３３の右側面及び右台座直立部材３４の左側面に当接する長さを有する角管である。また、上記台座部１１の後端の左側角部及び右側角部には、左台座直立部材３３及び右台座直立部材３４が配置されている。これら左台座直立部材３３及び右台座直立部材３４は、それぞれ上下方向に長さを有する角管であって、後述する固定バスケット７１を構成する左固定バスケット直立部材８０及び右固定バスケット直立部材８１にそれぞれ挿入される。なお、これら左台座直立部材３３及び右台座直立部材３４は、それぞれ本発明を構成する第５及び第６の柱部である。また、上記台座部１１の下面であって、左側中途部及び右側中途部には、それぞれ左側挿通部３５及び右側挿通部３６が取り付けられている。これら左側挿通部３５及び右側挿通部３６は、前後方向に長さを有すると共に、上記台座部１１の前後方向長さと略同じ長さとされており、上方が開放された断面コ字状に成形されてなるものであって、後端にはそれぞれ突起部３５ａ，３６ａが形成されており、また、これら突起部３５ａ，３６ａには開口３５ｂ、３６ｂが形成されている。なお、これら左側挿通部３５及び右側挿通部３６の左右方向の間隔は、一般的に用いられているフォークリフトＦが備える左右のフォークの間隔と一致している。なお、上記開口３５ｂ、３６ｂ内には、この高所作業用バスケット１を使用する際にフォークリフトＦのフォークが挿通された場合に、このフォークが挿通された状態を維持するための図示しない固定ボルトが螺通して固定される。そして、これら左側挿通部３５及び右側挿通部３６は、断面Ｌ字状とされた４つずつの取付部材３５ｃ，３６ｃを介して、それぞれ上記左下角管１５，右下角管１６，左上角管１７，右上角管１８，中央下部材１９，中央上部材２０，後端下部材３１及び後端上部材３２に対して固定される。また、上記起立部１２の左側板及び右側板には、２つずつ開口３７，３８が形成されており、また、これらの開口３７、３８の正横であって上記左上角管１７及び右上角管１８上に対応する箇所にも、同様に開口（符号は省略する）が形成されている。これらの開口３７、３８は、上記左上角管１７及び右上角管１８内に挿入される後述する可動支持部材５１の左外角管５３及び右外角管５４にそれぞれ形成された開口５９，６０，６１，６２と対応するものであって、後述するストッパ部材４６，４７の棒体４６ａ，４７ａが挿入されることにより、台座部１１に対して可動支持部材５１の位置を固定する。また、上記左台座直立部材３３及び右台座直立部材３４にも、それぞれ２組ずつ２つずつ開口３９，４０，４１，４２が形成されている。これら開口３９，４０，４１，４２は、何れも上記左台座直立部材３３及び右台座直立部材３４の前後両面に形成されており、また、後述する固定バスケット７１の左固定バスケット直立部材８０及び右固定バスケット直立部材８１に形成された開口９４と対応する。したがって、可動バスケット１０１を下方に移動した（下ろした）状態で、開口３９に後述するストッパ部材９８の棒体９８ａが挿入され、また、開口４１，９４にストッパ部材９９の棒体９９ａが挿入されることにより、台座部１１に対して該固定バスケット７１が下ろされた位置関係を保ちつつ固定することができ、また、該固定バスケット７１を上方に上方に移動した（持ち上げた）状態で、開口４０に後述するストッパ部材９８の棒体９８ａが挿入され、また、開口４２，９４にストッパ部材９９の棒体９９ａが挿入されることにより、該台座部１１に対して該固定バスケット７１が上昇させた位置関係を保ちつつ固定することができる。また、ストッパ部材４６，４７は、何れも方形状の板材上に２本の棒体４６ａ，４７ａが直立してなるものであって、上記の通り棒体４６ａ，４７ａが開口３７，３８と、開口５９，６０，６１，６２の何れかの挿入されることにより、台座部１１と可動支持部材５１とを固定するものである。
【００２３】
また、可動支持部材５１は、図３に示すように、複数の角管を溶接してなるものであって、高所作業用バスケット１の左右方向に長さを有する角管である下側可動横架部５２と、該下側可動横架部５２の左端に前端が配置され、後方に長さを有する左外角管５３と、該下側可動横架部５２の右端に前端が配置され、後方に長さを有する右外角管５４と、該下側可動横架部５２の左側中途部に前端が配置され、後方に長さを有する左内角管５５と、該下側可動横架部５２の右側中途部に前端が配置され、後方に長さを有する右内角管５６と、から構成されている。この可動支持部材５１は、上記台座部１１上に載置されるとともに、該台座部１１に対して前後方向に移動可能とされている。すなわち、左外角管５３及び右外角管５４は、上述の通り、台座部１１を構成する左下角管１５及び右下角管１６の前端から前端側中途部において載置されるとともに、該左下角管１５及び右下角管１６に対して後方へ摺動するものとされており、また、この摺動に伴い、該左下角管１５及び右下角管１６は左上角管１７及び右上角管１８内に挿入する。また、左内角管５５及び右内角管５６は、上述の通り、開口２４，２５を介して中央上部材２０を構成する角管２２，２３内に挿入し、該左内角管５５及び右内角管５６は、該角管２２，２３内に配置された多数の回転子２８上に載置されつつスムーズに移動するものとなっている。また、上記下側可動横架部５２の左右端部には、左直立部材５７及び右直立部材５８が配置されている。これら左直立部材５７及び右直立部材５８は、それぞれ上下方向に長さを有する角管であって、後述する可動バスケット１０１を構成する左可動バスケット直立部材１０６及び右可動バスケット直立部材１０７にそれぞれ挿入される。なお、これら左直立部材５７及び右直立部材５８は、それぞれ本発明を構成する第７及び第８の柱部である。なお、上記左外角管５３及び右外角管５４には、それぞれ２組ずつ２つずつ開口５９，６０，６１，６２が形成されている。これら開口５９，６０，６１，６２は、何れも上記左外角管５３及び右外角管５４の左右側面に形成されており、また、上述した台座部１１の起立部１２，左上角管１７及び右上角管１８に形成された開口３７，３８と対応する。したがって、可動支持部材５１を前方に移動した状態で、開口３７，５９に上記ストッパ部材４６の棒体４６ａが挿入され、また、開口３８、６１にストッパ部材４７の棒体４７ａが挿入されることにより、該台座部１１に対して該可動支持部材５１が前方に移動した位置関係を保ちつつ固定することができ、また、可動支持部材５１を後方に移動した状態で、開口３７，６０に上記ストッパ部材４６の棒体４６ａが挿入され、また、開口３８，６２にストッパ部材４７の棒体４７ａが挿入されることにより、該台座部１１に対して該可動支持部材５１が後方に移動した位置関係を保ちつつ固定することができる。また、上記左直立部材５７及び右直立部材５８にも、それぞれ２組ずつ２つずつ開口６３，６４，６５，６６が形成されている。これら開口６３，６４，６５，６６は、何れも上記左直立部材５７及び右直立部材５８の前後両面に形成されており、また、後述する可動バスケット１０１の左可動バスケット直立部材１０６及び右可動バスケット直立部材１０７に形成された開口１０８，１０９と対応する。したがって、可動バスケット１０１を下方に移動した（下ろした）状態で、開口６３，１０８に後述するストッパ部材１４１の棒体１４１ａが挿入され、また、開口６５，１０９にストッパ部材１４２の棒体１４２ａが挿入されることにより、該可動支持部材５１に対して該可動バスケット１０１が下ろされた位置関係を保ちつつ固定することができ、また、可動バスケット１０１を上方に上方に移動した（持ち上げた）状態で、開口６４，１０８に後述するストッパ部材１４１の棒体１４１ａが挿入され、また、開口６６，１０９にストッパ部材１４２の棒体１４２ａが挿入されることにより、該可動支持部材５１に対して該可動バスケット１０１が上昇させた位置関係を保ちつつ固定することができる。
【００２４】
また、固定バスケット７１は、金属製の板材や角管等を溶接してなるものであって、図４に示すように方形状とされており、下方には板材である固定床板部７２が水平に位置している。この固定床板部７２は、２つの溝部７３，７４により３枚に分割されて左右に並列する。また、上記溝部７３の直下には、該溝部７３，７４と対応する開口が上方に形成されて、前後方向に長さを有する角管７５，７６が位置している。上記角管７５，７６は、図示は省略するが、上記台座部１１を構成する角管２２，２３と同様に、中に多数の軸体及び円筒体からなる回転子が配置されている。なお、上記２つの溝部７３，７４の幅は、それぞれ後述する可動バスケット１０１を構成する移動板部１０３，１０４の幅よりも僅かに大きいものとなっている。したがって、上記移動板部１０３，１０４が上記溝部７３，７４より上記角管７５，７６内に挿入され、該移動板部１０３，１０４は、下面を上記の該角管７５，７６内の多数の回転子に載置されるものとなり、該可動バスケット１０１は該多数の回転子の回動によりスムーズに前後方向に移動するものとなる。また、上記固定床板部７２の左端及び右端には、固定下方左横架部７７及び固定下方右横架部７８が配置されている。これら固定下方左横架部７７及び固定下方右横架部７８は、それぞれ前後方向に上記固定床板部７２の奥行き長さと略同一の長さを有する角管であって、後端は後述する左固定バスケット直立部材８０及び右固定バスケット直立部材８１の前面に固定されており、また、前端の開口より後述する可動バスケット１０１を構成する可動下方左横架部１１５及び可動下方右横架部が内部に挿入する。また、上記固定床板部７２の後端には、下方後端横架部７９が配置されている。この下方後端横架部７９は、左右方向に上記固定床板部７２の左右長さと略同じ長さを有する角管であって、上記固定下方左横架部７７の右側面及び固定下方右横架部７８の左側面に当接する。また、上記固定下方左横架部７７及び固定下方右横架部７８の後端端部上には、左固定バスケット直立部材８０及び右固定バスケット直立部材８１が配置されている。これら左固定バスケット直立部材８０及び右固定バスケット直立部材８１は、下端に開口を有して上方に長さを有する角管であって、該左固定バスケット直立部材８０及び右固定バスケット直立部材８１内には、該開口を介してそれぞれ上記台座部１１を構成する左台座直立部材３３及び右台座直立部材３４を挿入する。なお、これら左固定バスケット直立部材８０及び右固定バスケット直立部材８１は、それぞれ本発明を構成する第１及び第２の柱部である。また、上記左固定バスケット直立部材８０及び右固定バスケット直立部材８１の上端であって、該左固定バスケット直立部材８０及び右固定バスケット直立部材８１の間には、上方後端横架部８２が配置されている。この上方後端横架部８２は、左右方向に上記固定床板部７２の左右長さと略同じ長さを有する角管であって、上記左固定バスケット直立部材８０の右側面及び右固定バスケット直立部材８１の左側面に当接する。なお、この上方後端横架部８２は、本発明を構成する後方側横架部である。また、上記左固定バスケット直立部材８０の上端であって、該左固定バスケット直立部材８０の前方には、固定上方左横架部８３が配置されており、また、上記右固定バスケット直立部材８１の上端であって、該右固定バスケット直立部材８１の前方には、固定上方右横架部８４が配置されている。これら固定上方左横架部８３及び固定上方右横架部８４は、それぞれの前端端部に開口を有して前後方向に上記固定床板部７２の前後長さと略同じ長さを有する角管であって、該固定上方左横架部８３及び固定上方右横架部８４内には、該開口を介してそれぞれ後述する可動バスケット１０１を構成する可動上方左横架部１２２及び可動上方右横架部１２３を挿入する。なお、これら固定上方左横架部８３及び固定上方右横架部８４は、本発明を構成する一方の左横架部及び一方の右横架部である。また、上記固定下方左横架部７７，左固定バスケット直立部材８０及び固定上方左横架部８３により囲われる箇所（いわば、固定バスケット７１の左側面）と、上記下方後端横架部７９，左固定バスケット直立部材８０，右固定バスケット直立部材８１及び上方後端横架部８２により囲われる箇所（いわば、固定バスケット７１の後端面）と、上記固定下方右横架部７８，右固定バスケット直立部材８１及び固定上方右横架部８４により囲われる箇所（いわば、固定バスケット７１の右側面）には、この固定バスケット７１及び可動バスケット１０１内の作業者や工具が転落等を防止するための金属棒を組み合わされて作られた安全柵８５，８６，８７が配置されている。また、これら安全柵８５，８６，８７の下端近傍であって上記固定下方左横架部７７の右側面，下方後端横架部７９の上面及び固定下方右横架部７８の左側面には、この固定バスケット７１及び可動バスケット１０１内の工具が転落等を防止するための該固定バスケット７１の高さの約三分の一程度の高さの安全板８８，８９，９０が配置されている。また、上記左固定バスケット直立部材８０及び右固定バスケット直立部材８１の上端近傍であって前方側面には、レンチやドライバー等の長尺の工具等を収める直方体状の工具入れ９１，９２が配置されており、また、該左右に配置された工具入れ９１，９２間には、作業者が安全索を係止するための金属棒でできた安全索係止部材９３が配置されている。また、左固定バスケット直立部材８０及び右固定バスケット直立部材８１には、それぞれ２つずつ開口９４が形成されている。これら開口９４は、何れも左固定バスケット直立部材８０及び右固定バスケット直立部材８１の前後両面に形成されており、また、上記台座部１１の左台座直立部材３３及び右台座直立部材３４に形成された開口３９，４０，４１，４２と対応するものであって、後述するストッパ部材９８，９９の棒体９８ａ，９９ａが挿入されることにより、該左台座直立部材３３及び右台座直立部材３４に対して、これらに挿入する上記左固定バスケット直立部材８０及び右固定バスケット直立部材８１の位置を固定することができ、ひいては台座部１１に対して固定バスケット７１の位置を固定する。また、固定上方左横架部８３及び固定上方右横架部８４には、それぞれ２つずつ開口９５，９６が形成されている。これら開口９５，９６は、固定上方左横架部８３及び固定上方右横架部８４の左右両面に形成されており、また、後述する可動バスケット１０１の可動上方左横架部１２２及び可動上方右横架部１２３に形成された開口１２４，１２５，１２６，１２７と対応するものであって、後述するストッパ部材１３６，１３７の棒体１３６ａ，１３７ａが挿入されることにより、該固定上方左横架部８３及び固定上方右横架部８４に対して、これらに挿入する上記可動上方左横架部１２２及び可動上方右横架部１２３の位置を固定することができ、ひいては固定バスケット７１に対して可動バスケット１０１の位置を固定する。また、ストッパ部材９８，９９，１３６，１３７は、何れも方形状の板材上に２本の棒体９８ａ，９９ａ，１３６ａ，１３７ａが直立してなるものであって、上記の通り棒体９８ａ，９９ａ，１３６ａ，１３７ａが開口３９，４０，４１，４２，９４，９５，９６，１２４，１２５，１２６，１２７の何れかの挿入されることにより、台座部１１と可動バスケット７１とを、或いは、可動バスケット７１と可動バスケット１０１とを固定するものである。なお、ストッパ部材９８，９９は、本発明を構成する固定手段である。
【００２５】
また、可動バスケット１０１は、金属製の板材や角管等を溶接してなるものであって、図５に示すように方形状とされており、下方には板材である可動床板部１０２が水平に位置されており、図７に示すように、該可動床板部１０２の中央よりやや前端側の箇所には、この高所作業用バスケット１での作業中に内部に入った汚水やオイル等をまとめて排出するための水抜き穴１０２ａが形成されている。なお、上記可動床板部１０２の後端端部は、可動バスケット１０１が前端端部に移動した際には、上記固定バスケット７１の固定床板部７２の前端端部の上方に位置し、また、該可動バスケット１０１が後端側に動いた際には、全体が該固定床板部７２上に位置する。また、上記可動床板部１０２の下面であって、該可動床板部１０２が固定床板部７２上に重なった際に上記溝部７３，７４と対応する箇所には、前後方向に長さを有する板材である移動板部１０３，１０４が配置されている。したがって、上述の通り、該可動バスケット１０１は、移動板部１０３，１０４が固定バスケット７１の溝部７３，７４内に配置された多数の回転子上に載置される（多数の回転子により下面から支持される）ことから、上記可動バスケット１０１は上記固定バスケット７１に対して前後方向に容易に移動するものとなる。なお、上記移動板部１０３，１０４の後端端部は、可動バスケット１０１が前端端部に移動した場合でも、上記固定バスケット７１の溝部７３，７４内に配置された多数の回転子上に載置され、また、該可動バスケット１０１が後端側に動いた際には、全体が該溝部７３，７４内に配置された多数の回転子上に載置される。また、上記可動床板部１０２の前側端部には、可動バスケット前端部材１０５が配置されている。この可動バスケット前端部材１０５は、左右方向に長さを有して上記可動床板部１０２の左右長さよりもやや長い長さを有する角管である。また、上記可動床板部１０２の前方左側端部及び右側端部であって、上記可動バスケット前端部材１０５の左右端部それぞれには、左可動バスケット直立部材１０６及び右可動バスケット直立部材１０７が配置されている。これら左可動バスケット直立部材１０６及び左可動バスケット直立部材１０７は、それぞれ上下方向に長さを有する角管であって、上記可動支持部材５１を構成する左直立部材５７及び右直立部材５８をそれぞれ挿入する。なお、これら左可動バスケット直立部材１０６及び左可動バスケット直立部材１０７は、それぞれ本発明を構成する第３及び第４の柱部である。また、これら左可動バスケット直立部材１０６及び左可動バスケット直立部材１０７の前側面下端近傍には、２つずつ開口１０８，１０９が形成されている。すなわち、開口１０８，１０９は、何れも上述した可動支持部材５１の左直立部材５７及び右直立部材５８に形成された開口６３，６４，６５，６６と対応する。したがって、可動バスケット１０１を可動支持部材５１の直上に載置した状態で、開口６３，１０８に後述するストッパ部材１４１の棒体１４１ａが挿入され、また、開口６５，１０９にストッパ部材１４２の棒体１４２ａが挿入されることにより、該可動支持部材５１直上に載置された位置関係を保ちつつ固定することができ、また、可動バスケット１０１を上方に移動した状態で、開口６４，１０８に後述するストッパ部材１４１の棒体１４１ａが挿入され、また、開口６６，１０９にストッパ部材１４２の棒体１４２ａが挿入されることにより、該可動支持部材５１に対して該可動バスケット１０１が上方に移動した位置関係を保ちつつ固定することができる。また、上記可動バスケット前端部材１０５の中央よりやや左側の上面には、中央可動バスケット直立部材１１０が配置されている。この中央可動バスケット直立部材１１０は、上下方向に長さを有する角管である。また、上記左可動バスケット直立部材１１６及び中央可動バスケット直立部材１１０それぞれの上端の間には、前方側横架部１１１が配置されている。この前方側横架部１１１は、左右方向に長さを有する角管であって、一端が上記左可動バスケット直立部材１０６に固定されている。また、上記可動バスケット前端部材１０５の上方，中央可動バスケット直立部材１１０の右側及び右可動バスケット直立部材１０７の左側には、扉部１１２が配置されている。この扉部１１２は，上下方向及び左右方向に長さを有する四本の角管を長方形状の枠体としてなる物であって、蝶番１１２ａを介して上記右可動バスケット直立部材１０７に取り付けられており、この可動バスケット１０１の後方に回動して開閉する。また、この扉部１１２の前方側面左側には留め金１１３が固定されており、上記中央可動バスケット直立部材１１０に配置されて上下方向に回動可能とされた閂１１４が該留め金１１３に係合することにより、該扉部１１２は維持するものとなる。なお、上記可動バスケット前端部材１０５，左可動バスケット直立部材１０６，中央可動バスケット直立部材１１０及び前方側横架部１１１により囲われた箇所、及び、上記扉部１１２の内側には、金属棒からなる安全柵１１５，１１６が配置されている。また、これら安全柵１１５，１１６の下端近傍であって上記可動バスケット前端部材１０５の後側面には、該可動バスケット１０１の高さの約三分の一程度の高さの安全板１１７，１１８が配置されている。
【００２６】
また、上記可動バスケット前端部材１０５の左右端部には、それぞれ可動下方左横架部１２１及び可動下方右横架部が配置されている。これら可動下方左横架部１２１及び可動下方右横架部は、前端がそれぞれ中央可動バスケット直立部材１１０の左右端部それぞれの後面に固定された前後方向に長さを有する角管であって、上記固定バスケット７１を構成する固定下方左横架部７７及び固定下方右横架部７８内に挿入する。なお、これら可動下方左横架部１２１及び可動下方右横架部は、前端端部が可動バスケット前端部材１０５に固定されているが、可動床板部１０２や後述する安全柵１３１，１３２等の他の部材との固定はされてはいない。また、上記左可動バスケット直立部材１０６の上端には、可動上方左横架部１２２が配置されている。この可動上方左横架部１２２は、前端が左可動バスケット直立部材１０６の上端後面に固定された前後方向に長さを有する角管であって、上記固定バスケット７１を構成する固定上方左横架部８３内に挿入する。また、上記右可動バスケット直立部材１０７の上端には、可動上方右横架部１２３が配置されている。この可動上方右横架部１２３は、前端が右可動バスケット直立部材１０７の上端後面に固定された前後方向に長さを有する角管であって、上記固定バスケット７１を構成する固定上方右横架部８４内に挿入する。なお、この可動上方左横架部１２２及び可動上方右横架部１２３は、それぞれ本発明を構成する他方の左横架部及び他方の右横架部である。また、これら可動上方左横架部１２２及び可動上方右横架部１２３の前端及び後端近傍であって左右両側面には、２つずつ開口１２４，１２５，１２６，１２７が形成されている。すなわち、開口１２４，１２５，１２６，１２７は、何れも上述した固定バスケット７１の固定上方左横架部８３及び固定上方右横架部８４に形成された開口９５，９６と対応する。したがって、可動バスケット１０１を前方に移動した状態で、開口９５，１２５に上記ストッパ部材１３６の棒体１３６ａが挿入され、また、開口９６，１２７にストッパ部材１３７の棒体１３７ａが挿入されることにより、該可動バスケット１０１を前方に動かした位置関係を保ちつつ固定することができ、また、可動バスケット１０１を後方に移動した状態で、開口９５，１２４に後述するストッパ部材１３６の棒体１３６ａが挿入され、また、開口９６，１２６にストッパ部材１３７の棒体１３７ａが挿入されることにより、該可動バスケット１０１が後方に移動した位置関係を保ちつつ固定することができる。また、上記可動床板部１０２，上記左可動バスケット直立部材１０６及び上記可動上方左横架部１２２に囲われた箇所、及び、可動床板部１０２，上記右可動バスケット直立部材１０７及び上記可動上方右横架部１２３に囲われた箇所には、金属棒からなる安全柵１３１が配置されている。この安全柵１３１，１３２は、それぞれ下端が上記可動床板部１０２の左端及び右端に固定され、また、前端が左可動バスケット直立部材１０６及び右可動バスケット直立部材１０７の後方側面と固定されている。また、これら安全柵１３１，１３２の下端近傍には、該可動バスケット１０１の高さの約三分の一程度の高さの安全板１３３，１３４が配置されている。また、ストッパ部材１４１，１４２は、何れも方形状の板材上に２本の棒体１４１ａ，１４２ａが直立してなるものであって、上記の通り棒体１４１ａ，１４２ａが開口６３，６４，６５，６６，１０８，１０９の何れかの挿入されることにより、台座部１１と可動支持部材５１とを固定するものである。なお、ストッパ部材１４１，１４２は、本発明を構成する固定手段である。
【００２７】
以下、この実施の形態に係る高所作業用バスケット１の使用方法を説明する。この高所作業用バスケット１は、通常は、図６ないし図８に示す様に、上記台座部１１の前端端部に可動支持部材５１及び可動バスケット１０１が移動され、且つ、該台座部１１上に固定バスケット７１及び可動バスケット１０１が載置された状態とされている。この状態では、この高所作業用バスケット１は、従来から用いられている高所作業用バスケットと同様な大きさ及び高さとされており、同様に作業に用いることができる。すなわち、作業者が、扉部１１２を開けて固定バスケット７１及び可動バスケット１０１内に入り、留め金１１３内に閂１１４を入れて扉部１１２を固定し、該作業者が一端を腰部等につけている安全索の他端を安全索係止部材９３に係止して安全を確保する。また、上記の作業者が上記高所作業用バスケット１内に入るのと前後して、他の作業者がフォークリフトＦを運転し、該フォークリフトＦを上記高所作業用バスケット１の後方から接近させ、該フォークリフトＦの左右のフォークをそれぞれ後方から上記左側挿通部３５及び右側挿通部３６内に挿通する。そして、フォークを上記左側挿通部３５及び右側挿通部３６内に完全に挿通した後、上記左側挿通部３５及び右側挿通部３６の開口３５ｂ，３６ｂ内に固定ボルトを螺通し、この高所作業用バスケット１を確実にフォークリフト１に固定する。このようにフォークリフト１に高所作業用バスケット１の固定を終えた後、他の作業者はフォークリフトＦを運転し、図９に示すようにフォークを高所作業用バスケット１とともに必要な高さまで上方に動かす。
【００２８】
そして、作業者が作業する箇所が狭隘な場所であって、この高所作業用バスケット１が用いられるには大きすぎるような場合には、以下の作業により該高所作業用バスケット１の大きさを小さくする。すなわち、図６ないし図８に示す状態においては、この高所作業用バスケット１のストッパ部材４６の棒体４６ａは、台座部１１の開口３７及び可動支持部材５１の開口５９に挿入されており、ストッパ部材４７の棒体４７ａは、台座部１１の開口３８及び可動支持部材５１の開口６１に挿入されており、ストッパ部材１３６の棒体１３６ａは、固定バスケット７１の開口９６及び可動バスケット１０１の開口１２５に挿入されており、また、ストッパ部材１３７の棒体１３７ａは、固定バスケット７１の開口９７及び可動バスケット１０１の開口１２７に挿入されているが、該高所作業用バスケット１からストッパ部材４６，４７を取り外して台座部１１と可動支持部材５１との固定を解除し、また、ストッパ部材１３６，１３７を取り外して固定バスケット７１と可動バスケット１０１との固定を解除する。次いで、可動支持部材５１と可動バスケット１０１を、可動バスケット１０１の前方側横架部１１１が固定バスケットの上方後端横架部８２に接近するように、高所作業用バスケット１の後方に動かす。すなわち、このように動かすことにより、固定バスケット７１上に可動バスケット１０１が入り込み、固定バスケット７１の固定床板部７２の上方に可動バスケット１０１の可動床板部７２が位置するものとなる。そして、先に取り外したストッパ部材４６，４７，１３６，１３７を再度この高所作業用バスケット１に取り付ける。なお、この取付の際には、ストッパ部材４６の棒体４６ａは、台座部１１の開口３７及び可動支持部材５１の開口６０に挿入されており、ストッパ部材４７の棒体４７ａは、台座部１１の開口３８及び可動支持部材５１の開口６２に挿入されており、ストッパ部材１３６の棒体１３６ａは、固定バスケット７１の開口９６及び可動バスケット１０１の開口１２４に挿入されており、また、ストッパ部材１３７の棒体１３７ａは、固定バスケット７１の開口９７及び可動バスケット１０１の開口１２６に挿入され、図１０及び図１１に示すようになる。このようにストッパ部材４６，４７，１３６，１３７を取り外し、可動支持部材５１及び可動バスケット１０１を動かし、再度該ストッパ部材４６，４７，１３６，１３７を取り付け直すことによりこの高所作業用バスケット１は大きさを小さくすることができ、また、該可動支持部材５１及び可動バスケット１０１は複数の回転子２８を介して台座部１１及び固定バスケット７１に取り付けられてなるものであることから、該可動支持部材５１及び可動バスケット１０１の移動は力を要することなく容易なものとなっている。また、この可動支持部材５１及び可動バスケット１０１の移動の前後において何れも、固定バスケット７１の固定上方左横架部８３及び固定上方右横架部８４内に可動バスケット１０１の可動上方左横架部１２２及び可動上方右横架部１２３が挿入された状態となることから、この高所作業用バスケット１内の作業者が左右側面から外部に転落する危険性を有効に防止する。
【００２９】
また、作業者が作業する箇所が狭隘な場所であって、且つ、該作業する箇所が上記図１０及び図１１に示すような状態では手が届かないような高所である場合には、以下の作業により該高所作業用バスケット１の高さを高くする。すなわち、図１０及び図１１に示す状態においては、この高所作業用バスケット１のストッパ部材９８の棒体９８ａは、台座部１１の開口３９及び固定バスケット７１の開口に挿入されており、ストッパ部材９９の棒体９９ａは、台座部１１の開口４１及び固定バスケットの開口９４に挿入されており、ストッパ部材１４１の棒体１４１ａは、可動支持部材５１の開口６３及び可動バスケット１０１の開口１２５に挿入されており、また、ストッパ部材１４２の棒体１４２ａは、可動支持部材５１の開口９７及び可動バスケット１０１の開口１０９に挿入されているが、該高所作業用バスケット１からストッパ部材９８，９９を取り外して台座部１１と固定バスケット７１との固定を解除し、また、ストッパ部材１４１，１４２を取り外して可動支持部材５１と可動バスケット１０１との固定を解除する。次いで、固定バスケット７１及び可動バスケット１０１を、台座部１１及び可動支持部材５１と離して上昇させる。この上昇の手段としては、フォークリフトＦを用いることができる。すなわち、上記のようにストッパ部材９８，９９，１４１，１４２を取り外した後、フォークリフトＦをこの高所作業用バスケット１に接近させ、該フォークリフトＦのフォークを安全柵８６，１１５，１１６の内の左右方向に長さを有するものの下の部分に入れ、該フォークを上昇させることにより、固定バスケット７１及び可動バスケット１０１を上昇させることができる。そして、これら固定バスケット７１及び可動バスケット１０１を必要な高さとした状態で、先に取り外したストッパ部材９８，９９，１４１，１４２を再度この高所作業用バスケット１に取り付ける。なお、この取り付けの際には、ストッパ部材９８の棒体９８ａは、台座部１１の開口４０及び固定バスケット７１の開口に挿入されており、ストッパ部材９９の棒体９９ａは、台座部１１の開口４２及び固定バスケット７１の開口９４に挿入されており、ストッパ部材１４１の棒体１４１ａは、可動支持部材５１の開口６４及び可動バスケット１０１の開口１０８に挿入されており、また、ストッパ部材１４２の棒体１４２ａは、可動支持部材５１の開口６６及び可動バスケット１０１の開口１０９に挿入され、図１２に示すようになる。このように、本発明に係る高所作業用バスケット１では、ストッパ部材９８，９９，１４１，１４２を取り外し、固定バスケット７１及び可動バスケット１０１を動かし、再度該ストッパ部材９８，９９，１４１，１４２を取り付けことによりこの高所作業用バスケット１は容易に高さを高くし、その状態を保つことができる。したがって、図１２に示すようなダクト１５１，１５２のような構造物が多数天井付近に配置された工場等で作業する場合であって、従来の高所作業用バスケットではこれらのダクト１５１，１５２が邪魔となって作業ができないような場合であっても、可動支持部材５１，固定バスケット７１及び可動バスケット１０１を動かすことにより、これらダクト１５１，１５２の間に本発明に係る高所作業用バスケット１を位置させることができるとともに、固定バスケット７１及び可動バスケット１０１の高さを高くすることができることから、これらのダクト１５１，１５２に対して、脚立等を用いることなく無理なく安全に作業をすることができる。
【図面の簡単な説明】
【００３０】
【図１】本発明の一実施の形態に係る高所作業用バスケットを構成する台座部を示す斜視図である。
【図２】本発明の一実施の形態に係る高所作業用バスケットを構成する角管及び回転子を示す斜視図である。
【図３】本発明の一実施の形態に係る高所作業用バスケットを構成する可動支持部材を示す斜視図である。
【図４】本発明の一実施の形態に係る高所作業用バスケットを構成する固定バスケットを示す斜視図である。
【図５】本発明の一実施の形態に係る高所作業用バスケットを構成する可動バスケットを示す斜視図である。
【図６】本発明の一実施の形態に係る高所作業用バスケットを大きくした状態を示す側面図である。
【図７】本発明の一実施の形態に係る高所作業用バスケットを大きくした状態を示す平面図である。
【図８】本発明の一実施の形態に係る高所作業用バスケットを大きくした状態を示す正面図である。
【図９】本発明の一実施の形態に係る高所作業用バスケットをフォークリフトで上昇させた状態を示す側面図である。
【図１０】本発明の一実施の形態に係る高所作業用バスケットを小さくした状態を示す側面図である。
【図１１】本発明の一実施の形態に係る高所作業用バスケットを小さくした状態を示す平面図である。
【図１２】本発明の一実施の形態に係る高所作業用バスケットを高くした状態を示す側面図である。
【符号の説明】
【００３１】
１    高所作業用バスケット
１１    台座部
１２    起立部
２８    回転子
３３    左台座直立部材
３４    右台座直立部材
３５    左側挿通部
３６    右側挿通部
５１    可動支持部材
５２    下側可動横架部
５７    左直立部材
５８    右直立部材
７１    固定バスケット
７２    固定床板部
８０    左固定バスケット直立部材
８１    右固定バスケット直立部材
８２    上方後端横架部
８３    固定上方左横架部
８４    固定上方右横架部
１０１    可動バスケット
１０２    可動床板部
１０３    移動板部
１０４    移動板部
１０６    左可動バスケット直立部材
１０７    右可動バスケット直立部材
１１１    前方側横架部
１２２    可動上方左横架部
１２３    可動上方右横架部
【図１】
2006256810.tif 000003
【図２】
2006256810.tif 000004
【図３】
2006256810.tif 000005
【図４】
2006256810.tif 000006
【図５】
2006256810.tif 000007
【図６】
2006256810.tif 000008
【図７】
2006256810.tif 000009
【図８】
2006256810.tif 000010
【図９】
2006256810.tif 000011
【図１０】
2006256810.tif 000012
【図１１】
2006256810.tif 000013
【図１２】
2006256810.tif 000014